(57)【特許請求の範囲】
【請求項１】
内蔵閃光器を備えたカメラの取付座に取付部を介して取り付けられる本体部と、
前記本体部に配置される発光部と、
前記本体部に対し、前記発光部と前記内蔵閃光器のいずれかの前方に移動可能に配置され、前記発光部または前記内蔵閃光器の光を減光可能な減光板と、
を有することを特徴とする外付閃光装置。
【請求項２】
請求項１記載の外付閃光装置において、
前記本体部に収納自在に配置される支持部材を有し、前記減光板は、前記支持部材の一側に配置されていることを特徴とする外付閃光装置。
【請求項３】
請求項１または２記載の外付閃光装置において、
前記取付部の前記取付座への装着状態において、前記本体部が、前記内蔵閃光器の発光可能な状態の時に、前記内蔵閃光器に干渉しないように設けられていることを特徴とする外付閃光装置。
【請求項４】
請求項１〜３のいずれか一項に記載の外付閃光装置において、
前記発光部が前記内蔵閃光器側へ向けて設定されていることを検知する検知手段と、
前記検知手段の検知結果と前記減光板の配置位置とに応じて警告を表示する表示手段とを備えたことを特徴とする外付閃光装置。
【請求項５】
請求項４に記載の外付閃光装置において、
前記表示手段は、前記検知手段による検知結果と前記内蔵閃光器の姿勢とに応じて警告を表示することを特徴とする外付閃光装置。
【発明の詳細な説明】
【０００１】
【発明の属する技術分野】
本発明は、内蔵閃光器を備えたカメラの取付座に装着されて使用される外付閃光装置に係わり、特に、発光量を減光する減光板を備えた外付閃光装置に関する。
【０００２】
【従来の技術】
一般に、電子閃光装置を使った撮影では、カメラに取り付けた電子閃光装置が被写体に対して正面から照明するために、影のない不自然な画像となる欠点がある。
従来、このような欠点を解決するため、特開昭５８−１１３９１９号公報，特公昭５９−４７４４０号公報等に開示されるように、２灯式の閃光装置を使って、大きな光量を有する主発光部で天井などを照明し、その反射光で上方から被写体を主に照明し、かつ別の光量の少ない副発光部で、被写体を直接照明するいわゆる２灯の閃光装置を使ったバウンスライティングが知られている。
【０００３】
この方法では、バウンス光によって自然な影が下方にでき、かつ副発光部からの直接照明光で影のつぶれた部分が適度に照明される。
従って、特に人物を撮影するときには、自然な影ができると同時に、直接照明によって、人物の目にキャッチライトを入れることができるので効果的である。
また、従来、閃光装置をカメラに取り付けたまま近接撮影を行おうとすると、撮影レンズと閃光装置の発光窓との間にパララックスがあるため、被写体に充分に光が当たらず、照明ムラのあるライティングとなってしまうという問題があった。
【０００４】
従来、このような問題を解決する方法は、特開昭５７−１２２４２３号公報、あるいは本出願人が先に出願した特開平９−１５６８９号公報等において周知である。
【０００５】
【発明が解決しようとする課題】
しかしながら、特開昭５８−１１３９１９号公報，特公昭５９−４７４４０号公報等に開示されるように、閃光装置に２つの発光部を配置することは、閃光装置が大型化し、また高価なものになるという問題があった。
【０００６】
また、単純にバウンス光と正面からの直接光で被写体を照明すれば自然なライティングができるわけではなく、例えば、特公昭５９−４７４４０号公報では、バウンス照明光に対して正面からの直接照明光を弱めるために、正面光の発光開始のタイミングを遅らせて、実質的に正面光を暗くするような特別の工夫をしている。
【０００７】
特開昭５７−１２２４２３号公報に開示される閃光装置は、撮影距離に従って閃光装置の発光部を光軸に自動的に設定するものであるが、そのためには、カメラおよび撮影レンズに測距機能のある装置を必要とするため、そのような機能を持たないカメラでは利用できないという問題がある。
また、撮影距離が極端に短い近接撮影では、閃光装置からの光を減光することなしに被写体をそのまま照明すると、適正露出を得るための撮影レンズの絞り値が大きく（絞り径は小さい）なりすぎ、このような絞り値が撮影レンズに用意されていないといった問題がしばしば起こる。
【０００８】
これに対して、特開平９−１５６８９号公報に開示される閃光装置では、近接撮影時に閃光装置の光を減光する手段が取られているので、撮影レンズの絞り値が大きくなりすぎ、絞り値が撮影レンズに用意されていないといった問題は生じない。
しかしながら、この公報に開示される閃光装置では、カメラに装着固定される脚部を軸に、発光部が左右に回転する回転式のものでないと実現することができず、また、減光板（拡散板）を折り畳んで内部に収納しているため、機構が複雑で多くの部品が必要になり、さらに、操作が煩雑であるといった問題点があった。
【０００９】
本発明は、かかる従来の問題を解決するためになされたもので、外付閃光装置の発光を主光源とし、カメラの内蔵閃光器の発光を補助光源とする２灯ライティング撮影を容易，確実に行うことができる安価な外付閃光装置を提供することを目的とする。
【００１０】
【課題を解決するための手段】
請求項１の外付閃光装置は、内蔵閃光器（１９）を備えたカメラ（１３）の取付座（１５）に取付部（２３）を介して取り付けられる本体部（２１）と、前記本体部（２１）に配置される発光部（２５）と、前記本体部（２１）に対し、前記発光部（２５）と前記内蔵閃光器（１９）のいずれかの前方に移動可能に配置され、前記発光部（２５）または前記内蔵閃光器（１９）の光を減光可能な減光板（２９）と、を有することを特徴とする。
請求項２の外付閃光装置は、請求項１記載の外付閃光装置において、前記本体部（２１）に収納自在に配置される支持部材（３１）を有し、前記減光板（２９）は、前記支持部材（３１）の一側に配置されていることを特徴とする。
【００１１】
請求項３の外付閃光装置は、請求項１または２記載の外付閃光装置において、前記取付部（２３）の前記取付座（１５）への装着状態において、前記本体部（２１）が、前記内蔵閃光器（１９）の発光可能な状態の時に、前記内蔵閃光器（１９）に干渉しないように設けられていることを特徴とする。
請求項４の外付閃光装置は、請求項１〜３のいずれか一項に記載の外付閃光装置において、前記発光部（２５）が前記内蔵閃光器（１９）側へ向けて設定されていることを検知する検知手段と、前記検知手段の検知結果と前記減光板（２９）の配置位置とに応じて警告を表示する表示手段とを備えたことを特徴とする。
【００１２】
請求項５の外付閃光装置は、請求項４に記載の外付閃光装置において、前記表示手段は、前記検知手段による検知結果と前記内蔵閃光器（１９）の姿勢とに応じて警告を表示することを特徴とする。
【００１３】
なお、この課題を解決する手段において、各部材に実施形態の部材に対応する符号を括弧書きで付したが、本発明は、実施形態に限定されるものではない。
【００１４】
（作用）
本発明の外付閃光装置では、外付閃光装置が、内蔵閃光器を備えたカメラの取付座に装着されて使用される。
【００１５】
そして、外付閃光装置の減光板によりカメラの内蔵閃光器の発光部を覆い、カメラの内蔵閃光器の光を減光した状態で２灯ライティング撮影が行われる。
本発明の外付閃光装置では、外付閃光装置の本体部が、内蔵閃光器を備えたカメラの取付座に取付部を介して装着されて使用される。
そして、外付閃光装置の本体部に配置される減光板によりカメラの内蔵閃光器の発光部を覆い、カメラの内蔵閃光器の光を減光した状態で２灯ライティング撮影が行われる。
【００１６】
本発明の外付閃光装置では、外付閃光装置の本体部が、内蔵閃光器を備えたカメラの取付座に取付部を介して装着されて使用される。
また、カメラの内蔵閃光器が発光可能な時には、例えば、内蔵閃光器がカメラの上部から上方にポップアップされて使用される。
そして、外付閃光装置の本体部が、内蔵閃光器の発光可能な状態の時に、内蔵閃光器に干渉しないように設けられているため、例えば、ポップアップした内蔵閃光器が外付閃光装置に衝突することが確実に防止される。
【００１７】
本発明の外付閃光装置では、減光板が、例えば、本体部に対して回動自在に配置され、本体部に対しての位置が容易，確実に変更可能とされる。
本発明の外付閃光装置では、支持部材が、本体部に収納自在に配置され、支持部材の一側に減光板が配置される。
従って、例えば、支持部材を本体部から引き出すことにより、外付閃光装置自体の発光部の前方を減光板により覆うことが可能になる。
【００１８】
本発明の外付閃光装置では、減光板が、発光部と内蔵閃光器のいずれかを選択して、発光部または内蔵閃光器の前方に移動可能とされている。
そして、減光板を内蔵閃光器の前方に位置させた状態で、外付閃光装置の発光を主光源とし、カメラの内蔵閃光器の発光を補助光源とする２灯ライティング撮影が行われる。
【００１９】
また、減光板を外付閃光装置の発光部の前方に位置させた状態で、外付閃光装置のみを使用して光量を下げた近接撮影が行われる。
【００２０】
【発明の実施の形態】
以下、本発明を、図面を用いて詳細に説明する。
【００２１】
図１および図２は、本発明の外付閃光装置の一実施形態を示している。
この実施形態では、外付閃光装置１１は、図１に示すように、カメラ１３の上面に配置される取付座（ホットシュー）１５に装着されて使用される。
カメラ１３には、撮影レンズ１７が配置されている。
カメラ１３の上部には、カメラ１３に内蔵される内蔵閃光器１９が配置されている。
【００２２】
この内蔵閃光器１９は、図３に示すように、カメラ１３の上方に向けてポップアップ可能とされている。
内蔵閃光器１９は、このポップアップ状態において、発光可能とされている。
外付閃光装置１１は、本体部２１の下部に取付部２３を有しており、この取付部２３が、カメラ１３の取付座１５に装着される。
【００２３】
取付部２３の上部には、発光部２５が配置されている。
この発光部２５は、軸部２７を中心にして本体部２１に回動可能に配置されている。
そして、本体部２１の前面には、減光板２９が配置されている。
この減光板２９は、支持部材３１の一側に、軸部３３を介して回動自在に支持されている。
【００２４】
支持部材３１は、本体部２１に形成される収納部３５に引き出し可能に収容されている。
そして、この実施形態では、本体部２１は、図３に示したように、内蔵閃光器１９のポップアップ時に、内蔵閃光器１９に干渉しないように設けられている。
また、減光板２９は、図４に示すように、本体部２１内に支持部材３１を収納した状態で、ポップアップした内蔵閃光器１９の前方を遮蔽可能とされている。
【００２５】
また、減光板２９は、図５に示すように、本体部２１から支持部材３１を引き出した状態で、発光部２５の前方を遮蔽可能とされている。
そして、この実施形態では、本体部２１の背面（撮影者側）には、液晶表示パネル３７が配置されている。
図６は、この外付閃光装置１１の電気回路図であり、特公昭５８−２１７９８号公報等で周知のスレーブ回路である。
【００２６】
周知の技術と異なるところは、周知のスレーブ回路は、できるだけ遠距離に位置する他の閃光装置の発光に応動するように光センサー３９の感度を高めているが、本発明では、カメラ１３の内蔵閃光器１９だけに応動するように、感度を低くしていることである。
このようにすることにより、他の閃光装置の発光に応動して、誤って発光することがなく、カメラ１３の内蔵閃光器１９だけに応動する。
【００２７】
図７の（ａ）は、カメラ１３の内蔵閃光器１９の閃光波形を、（ｂ）はＩＧＢＴ４１のゲート電圧を、（ｃ）は外付閃光装置１１の発光の様子を示している。
図６の外付閃光装置１１の電気回路では、電源４３により予め主コンデンサー４５が充電されている。
トリガーコンデンサー４７は、抵抗４９を介してトリガーコイル５１の１次巻線を通って予め充電されている。
【００２８】
内蔵閃光器１９が使用状態にポップアップされると、検出レバー６１が作動し、ポップアップ検出スイッチＳＷ３が閉成し、回路５３に電源が給電され、回路５３は動作を開始する。
内蔵閃光器１９の閃光ａが減光板２９で反射し、光センサー３９が受光すると、回路５３は、閃光ａの立ち上がりで出力をＨレベルに、閃光が停止するとＬレベルの出力を続くＩＧＢＴ（絶縁ゲート型トランジスタ）のゲートｂに送出する。
【００２９】
ＩＧＢＴ４１は、ゲートｂがＨレベルになるとコレクタとエミッタが導通し、トリガーコンデンサ４７は、ＩＧＢＴ４１のコレクタ→エミッタ→トリガーコイル５１の一次巻線→コンデンサ４７のルートで放電される。
トリガーコイル５１の一次巻線に、トリガーコンデンサ４７の放電電流が流れることで２次側コイルには高電圧が発生し、キセノン放電管５５のトリガー電極に高電圧が印加されキセノン放電管５５は発光を開始する。
【００３０】
そして、カメラ１３の内蔵閃光器１９と外付閃光装置１１の光で被写体は照明される。
被写体からの反射光は、撮影レンズ１７を通してカメラ１３で測光され、所定の光量になると、カメラ１３は内蔵閃光器１９の発光を停止させる。
この時、光センサー３９は、内蔵閃光器１９の発光停止を検知し、ＩＧＢＴ４１のゲートｂがＬレベルとなりＩＧＢＴ４１は非導通となり、キセノン放電管５５の発光が停止する。
【００３１】
この結果、外付閃光装置１１は発光を停止し、撮影された画像は適正に露光される。
以下、上述した外付閃光装置１１の使用例について詳細に説明する。
（使用例１）
図１に示した状態で、従来通りの撮影が行われる。
【００３２】
この状態では、内蔵閃光器１９はカメラ１３に収納され、外付閃光装置１１の発光部２５は撮影レンズ１７の光軸と平行に閃光照明するように設定されている。
また、減光板２９は、本体部２１の前面に沿って収納位置に納められている。
そして、外付閃光装置１１の取付部２３は、カメラ１３の取付座１５に固定され、外付閃光装置１１を使用した通常の閃光撮影が行われる。
【００３３】
（使用例２）
図８は、バウンス光と直接光を使った２灯撮影状態を示している。
この状態では、外付閃光装置１１はカメラ１３の取付座１５に装着固定されている。
外付閃光装置１１の発光部２５は、天井５７等のバウンス面に向けられている。
【００３４】
従って、その反射光は被写体５９を間接照明する設定状態になっている。
内蔵閃光器１９は、発光使用状態の位置にポップアップされている。
外付閃光装置１１の減光板２９は内蔵閃光器１９の発光窓前面を覆うようにセットされている。
減光板２９は、内蔵閃光器１９の発光量を１／４〜１／８程度（内蔵閃光器１９のガイドナンバーによっては１／２〜１／１６が適当である）に減光し、同時に拡散する効果を持つ。
【００３５】
この状態でカメラ１３が撮影時にレリーズされると、内蔵閃光器１９と外付閃光装置１１は同時に発光を開始する。
検出レバー６１は、内蔵閃光器１９のポップアップ状態を検出するものである。
内蔵閃光器１９は、使用時にポップアップし、検出レバー６１を上方に回動させる。
【００３６】
検出レバー６１は、ポップアップ検知スイッチＳＷ３に連動しており、上方に回動されるとポップアップ検知スイッチＳＷ３は閉成する。
このポップアップ検知スイッチＳＷ３の信号により、液晶表示パネル３７の表示が切り替えられる。
【００３７】
また、外付閃光装置１１の発光部２５は、上方に回動されバウンス撮影状態になっている。
この時、図示しないバウンス検知スイッチＳＷ４は閉成している。
発光部２５が水平状態から上方に所定の角度以上回動すると、バウンス検知スイッチＳＷ４は閉成するようになっている。
【００３８】
このバウンス検知スイッチＳＷ４の信号により、液晶表示パネル３７の表示が切り替えられる。
バウンス光と内蔵閃光器１９からの直接光の両者の光で適切に照明された被写体５９からの反射光は、撮影レンズ１７を通してカメラ１３で測光され、所定の光量になると、カメラ１３は内蔵閃光器１９の発光を停止させる。
【００３９】
同時に、カメラ１３は、外付閃光装置１１に発光停止信号を送り、外付閃光装置１１は発光を停止し、この結果、撮影された画像は適正に露光される。
以下、この時の減光板２９の役割を説明する。
図８に示したように、外付閃光装置１１に内蔵された減光板２９は、左右の支持部材３１に回動可能に支持されている。
【００４０】
減光板２９は、不使用時には、収納位置ａに収納されている。
使用時には、まず減光板２９を前方に回動させｃの位置においた後、カメラ１３に内蔵された内蔵閃光器１９を発光使用位置にポップアップした後、図８の実線で示すように、内蔵閃光器１９の前面の位置ｂにセットする。
組み合わせて使用するカメラ１３の機種によって、内蔵閃光器１９の発光窓の位置が前後あるいは上下にずれても、減光板２９は適切な位置に固定できるように、支持部材３１に対して軸部３３を中心に回転方向に適度の摩擦をもって固定されている。
【００４１】
図９は、外付閃光装置１１と内蔵閃光器１９の発光の明るさ変化を、時間の経過に対応して示したものである。
Ａは外付閃光装置１１の発光部２５から直接放射される光の強度、Ｂは内蔵閃光器１９から直接放射される光の強度である。
図１０は、外付閃光装置１１と内蔵閃光器１９の光が被写体５９を照明する明るさ変化を、時間の経過に対応して示したものである。
【００４２】
ａは外付閃光装置１１の発光部２５から放射された光が、天井５７でバウンスされ被写体５９を照明する光強度、ｂは内蔵閃光器１９が減光板２９で減光されて被写体５９を照明する光強度である。
ところで、外付閃光装置１１はバウンスされることにより、弱い光で被写体５９を照明するため（図１０のａ）、減光板２９を使用しないで内蔵閃光器１９で直接被写体５９を照明すると、被写体５９は内蔵閃光器１９の光で主に照明されるために（図１０のＢ）、バウンス撮影の効果はほとんど得ることができない。
【００４３】
この場合、撮影され画像は、内蔵閃光器１９だけで照明した場合と同様の影のない不自然な画像となる。
被写体５９が近くで、自動調光機能を使って適正露出を得る自動調光撮影の場合には、外付閃光装置１１とカメラ１３は短い時間で同時に発光を停止するため、その欠点が特に顕著となるのは明らかである。
【００４４】
その問題を解決するために、内蔵閃光器１９を減光板２９で覆い、内蔵閃光器１９が被写体５９を照明する光を拡散すると同時に弱める（図１０のｂ）。
その結果、自動調光撮影時にもバウンス光が上方から被写体５９を主に照明し、内蔵閃光器１９の弱い光が、被写体５９を補助的に正面から照明するいわゆる２灯バウンスライティングが実現できることになる。
【００４５】
この方法は、バウンス光によって自然な影が下方にでき、正面から弱い照明光で影のつぶれた部分が適度に照明される理想的なライティングである。
特に、人物を撮影するときには、自然な影ができると同時に、目にキャッチライトを入れることができるので効果的である。
【００４６】
カメラ１３が内蔵閃光器１９を使用している際にも、取付座１５に発光開始信号およびＴＴＬ自動調光動作で発光停止信号を外付閃光装置１１に伝達するものであれば、本発明の外付閃光装置１１は、それらの信号を受けて動作するようになっていることは言うまでもない。
しかしながら、カメラ１３の機種によっては、内蔵閃光器１９を使用状態にポップアップした状態では、取付座１５のＸ接点に発光開始信号を出力しないものがある。
【００４７】
このようなカメラ１３に取り付けた場合、外付閃光装置１１は発光することができない。
そこで、この実施形態では、外付閃光装置１１の前面の減光板２９に対向する面に光センサー３９を設置し、そのセンサー３９が内蔵閃光器１９の減光板２９からの反射光を受光するようになっている。
【００４８】
（使用例３）
図１１は、近接撮影をしている状態を示している。
この状態では、外付閃光装置１１の発光部２５は、下方の被写体５９の方向に向かって設定されている。
減光板２９は、支持部材３１と共に前方に引き出され、外付閃光装置１１の発光部２５の前面に回動され固定されている。
【００４９】
この状態でカメラ１３がレリーズされると、外付閃光装置１１は発光するが、減光板２９によって光が拡散されて、被写体５９の広い領域が照明される。
撮影レンズ１７の光軸と外付閃光装置１１の光軸にずれがあっても拡散光が広く照明しているので撮影画像に照明ムラがなくなる。
同時に、光量が弱められいるので、自動調光撮影できる距離がより近くになる。
【００５０】
また、外付閃光装置１１のガイドナンバーが小さくなるので、マニュアル光量計算で適正露出を得るための絞り値が大きくなりすぎて、撮影レンズ１７に用意された絞り値がないといった問題は生じない。
図１２は、図１１の発光部２５およびその近傍の拡大図である。
外付閃光装置１１の発光部２５は、近接した被写体５９に向かって発光部２５を下方に回転させ、撮影レンズ１７の光軸とのパララックスを補正している。
【００５１】
また、減光板２９は、発光部２５に突き出た突起２５ａに引っかけられた状態になっている。
支持部材３１は、図示しない付勢部材により、矢印Ｐの方向にモーメントを受けている。
従って、減光板２９は、下方に付勢力を受け、突起２５ａに引っかけられて、固定される。
【００５２】
外付閃光装置１１の発光部２５が下方にセットされると、下方検知スイッチＳＷ１は閉成される。
下方検知スイッチＳＷ１は、発光部２５が水平あるいは上方（バウンス姿勢）に設定されている場合は開成している。
また、発光部２５に内蔵された減光板検知スイッチＳＷ２は、減光板２９が前面にセットされると、減光板検知スイッチＳＷ２が押されて、閉成する。
【００５３】
また、減光板２９が発光部２５にないときは、減光板検知スイッチＳＷ２は開成している。
減光板２９が引き出されるのは、近接撮影で外付閃光装置１１の発光部２５の前面を覆う時だけであるから、減光板検知スイッチＳＷ２は、支持部材３１が引き出された場合に閉成するような構造になっていてもよい。
【００５４】
図１３から図１８は、上述した外付閃光装置１１の背面に配置される液晶表示パネル３７に表示される表示内容を示している。
この液晶表示パネル３７への表示は、２灯撮影や近接撮影を間違いなく行えるようにするためのもので、外付閃光装置１１の設定状態に対応した表示が行われる。
【００５５】
図１３の液晶表示パネル３７は、外付閃光装置１１の発光部２５の光軸が撮影レンズ１７の光軸と平行になっている通常距離の撮影状態であることを表示している。
発光部２５が正面に向けてセットされているので、
下方検知スイッチ          ＳＷ１      ＝  開（ＯＦＦ）
バウンス検知スイッチ      ＳＷ４      ＝  開（ＯＦＦ）
また、内蔵閃光器１９はポップアップしていないので、
ポップアップ検知スイッチ  ＳＷ３      ＝  開（ＯＦＦ）
また、外付閃光装置１１の発光部２５の前面に減光板２９は使用されていないので、
減光板検知スイッチ        ＳＷ２      ＝  開（ＯＦＦ）
となっている。
【００５６】
この場合、外付閃光装置１１の発光部２５の姿勢を表示する後述するシンボルは表示しない。
また、内蔵閃光器１９はポップアップしていないので（ＳＷ３はＯＦＦ）、内蔵閃光器１９が使用状態になっていることを示す後述するシンボルは表示しない。
この結果、液晶表示パネル３７の液晶表示は、図１３のようになる。
【００５７】
表示６３は、外付閃光装置１１の接続されたカメラ１３が、ＴＴＬ自動調光撮影状態であることを示している。
表示６５は、カメラ１３に接続された撮影レンズ１７の焦点距離が、５０ｍｍであり、外付閃光装置１１が自動的にその撮影画角に対応した配光画角に設定されていることを示している。
【００５８】
図１４の液晶表示パネル３７は、外付閃光装置１１の発光部２５の光軸が撮影レンズ１７の光軸と平行になっている通常距離の撮影状態であることを表示している。
ただし、使用者が、内蔵閃光器１９を使用状態にセットし、より大きな光量で撮影しようとしている場合である。
【００５９】
外付閃光装置１１の発光部２５が、正面に向けてセットされているので、
下方検知スイッチ          ＳＷ１      ＝  開（ＯＦＦ）
バウンス検知スイッチ      ＳＷ４      ＝  開（ＯＦＦ）
また、内蔵閃光器１９は、ポップアップしているので、
ポップアップ検知スイッチ  ＳＷ３      ＝  閉（ＯＮ）
また、外付閃光装置１１の発光部２５の前面に減光板２９は使用されていないので、
減光板検知スイッチ        ＳＷ２      ＝  開（ＯＦＦ）
となっている。
【００６０】
この場合、外付閃光装置１１の発光部２５の姿勢を表示するシンボル６７ａと、内蔵閃光器１９が使用状態になっていることを示すシンボル６９を表示する。両方のシンボル６７ａ，６９は、撮影レンズ１７の光軸に平行して発光照明することを表示している。
この結果、液晶表示パネル３７の表示は、図１４に示すようになる。
【００６１】
図１５の液晶表示パネル３７は、外付閃光装置１１の発光部２５が、バウンス撮影状態であることを表示している。
また、使用者が、内蔵閃光器１９を使用状態にセットし、内蔵閃光器１９を補助光源にして撮影しようとしている場合である。
外付閃光装置１１の発光部２５が、バウンス状態にセットされているので、
下方検知スイッチ          ＳＷ１      ＝  開（ＯＦＦ）
バウンス検知スイッチ      ＳＷ４      ＝  閉（ＯＮ）
また、内蔵閃光器１９は、ポップアップしているので、
ポップアップ検知スイッチ  ＳＷ３      ＝  閉（ＯＮ）
また、外付閃光装置１１の発光部２５の前面に減光板２９は使用されていないので、
減光板検知スイッチ        ＳＷ２      ＝  開（ＯＦＦ）
となっている。
【００６２】
この場合、外付閃光装置１１の発光部２５のバウンス姿勢を表示するシンボル６７ｂと、内蔵閃光器１９が使用状態になっていることを示すシンボル６９を表示する。
この結果、液晶表示パネル３７の表示は、図１５に示すようになる。
図１６の液晶表示パネル３７は、外付閃光装置１１の発光部２５が撮影レンズ１７の光軸側にパララックス補正の目的で下方にセットされていることを表示している。
【００６３】
また、使用者は、内蔵閃光器１９を使用しない。
外付閃光装置１１の発光部２５が下方に向けてセットされているので、
下方検知スイッチ          ＳＷ１      ＝  閉（ＯＮ）
バウンス検知スイッチ      ＳＷ４      ＝  開（ＯＦＦ）
また、内蔵閃光器１９はポップアップしていないので、
ポップアップ検知スイッチ  ＳＷ３      ＝  開（ＯＦＦ）
また、外付閃光装置１１の発光部２５の前面に減光板２９は使用されていないので、
減光板２９検知スイッチ        ＳＷ２      ＝  開（ＯＦＦ）
となっている。
【００６４】
この場合、外付閃光装置１１の発光部２５が下方に向けられていることを示すシンボル６７ｃが表示される。
また、内蔵閃光器１９が使用状態になっていないので、シンボル６９は表示されない。
【００６５】
また、外付閃光装置１１の発光部２５の前面に減光板２９がセットされておらず、好ましい設定状態でないので、減光板２９のシンボル７１を点滅し、警告を表示している。
この結果、液晶表示パネル３７は、シンボル７１が点滅し、図１６に示すように、液晶表示パネル３７が交互に警告表示する。
【００６６】
図１７は、図１６の状態から外付閃光装置１１の発光部２５の前面に減光板２９を設定した状態である。
すなわち、外付閃光装置１１の発光部２５が、撮影レンズ１７の光軸側にパララックス補正の目的で下方に向けてセットされていることを表示している。
また、使用者は内蔵閃光器１９を使用しない。
【００６７】
外付閃光装置１１の発光部２５が下方に向けてセットされているので、
下方検知スイッチ          ＳＷ１      ＝  閉（ＯＮ）
バウンス検知スイッチ      ＳＷ４      ＝  開（ＯＦＦ）
また、内蔵閃光器１９はポップアップしていないので、
ポップアップ検知スイッチ  ＳＷ３      ＝  開（ＯＦＦ）
また、外付閃光装置１１の発光部２５の前面に減光板２９が設定されたので、減光板２９検知スイッチ        ＳＷ２      ＝  閉（ＯＮ）
となっている。
【００６８】
この場合、図１６の状態から警告状態が解除される。
そして、外付閃光装置１１の発光部２５が下方に向けられていることを示すシンボル６７ｃが表示される。
また、内蔵閃光器１９が使用状態になっていないので、シンボル６９は表示されない。
【００６９】
また、外付閃光装置１１の発光部２５の前面に減光板２９がセットされていることを示す減光板２９のシンボル７１が点灯する。
この結果、液晶表示パネル３７の表示は、図１７に示すようになる。
図１８は、外付閃光装置１１の発光部２５を下方に向けた近接撮影状態の場合に起こる好ましくない設定状態である。
【００７０】
発光部２５を下方に設定しながら、発光部２５の前面に減光板２９の設定を忘れた状態である。
かつ、近接撮影状態でありながら、内蔵閃光器１９が使用状態（ポップアップ状態）となっている。
近接撮影状態で内蔵閃光器１９を使用すると、画面の下側に光が充分回らなかったり、撮影レンズ１７の先端の影が画角内に入った写真が撮れたりすることがしばしば起こる。
【００７１】
ここでは、外付閃光装置１１の発光部２５が撮影レンズ１７側の下方に向けてセットされていて、減光板２９が発光部２５の前面に設定されていない。
また、使用者は、内蔵閃光器１９をポップアップして、使用状態に設定している。
従って、
下方検知スイッチ          ＳＷ１      ＝  閉（ＯＮ）
バウンス検知スイッチ      ＳＷ４      ＝  開（ＯＦＦ）
また、内蔵閃光器１９はポップアップしているので、
ポップアップ検知スイッチ  ＳＷ３      ＝  閉（ＯＮ）
また、外付閃光装置１１の発光部２５の前面に減光板２９が設定されていないので、
減光板検知スイッチ        ＳＷ２      ＝  開（ＯＦＦ）
となっている。
【００７２】
この場合、外付閃光装置１１の発光部２５が下方に向けられていることを示すシンボル６７ｃが表示される。
また、内蔵閃光器１９が使用状態になっていることを示すシンボル６９と、減光板２９がセットされていないことを警告するために、両シンボル６９と７１を点滅させて警告する。
【００７３】
この結果、液晶表示パネル３７は、図１８に示すように、交互に警告表示となる。
上述した外付閃光装置１１では、カメラ１３の取付座１５に装着されて使用される外付閃光装置１１の本体部２１に、カメラ１３の内蔵閃光器１９の光を減光する減光板２９を配置したので、外付閃光装置１１の発光を主光源とし、カメラ１３の内蔵閃光器１９の発光を補助光源とする２灯ライティング撮影を容易，確実に行うことができる。
【００７４】
また、外付閃光装置１１に減光板２９を内蔵するだけで２灯ライティング撮影が可能になるため、外付閃光装置１１を安価なものにすることができる。
さらに、上述した外付閃光装置１１では、取付部２３の取付座１５への装着状態において、本体部２１を、内蔵閃光器１９の発光可能な状態の時に、内蔵閃光器１９に干渉しないように設けたので、例えば、カメラ１３の上部から上方にポップアップした内蔵閃光器１９が外付閃光装置１１に衝突することを確実に防止することができる。
【００７５】
また、上述した外付閃光装置１１では、減光板２９を、本体部２１に対しての位置が変更可能になるように配置したので、必要な所定位置に減光板２９を容易，確実に配置することができる。
また、上述した外付閃光装置１１では、本体部２１に収納自在に配置される支持部材３１の一側に減光板２９を配置したので、例えば、支持部材３１を本体部２１から引き出すことにより、外付閃光装置１１自体の発光部２５の前方を減光板２９により覆うことができる。
【００７６】
さらに、上述した外付閃光装置１１では、減光板２９を、発光部２５と内蔵閃光器１９のいずれかを選択して、発光部２５または内蔵閃光器１９の前方に移動可能としたので、２灯ライティング撮影以外に、外付閃光装置１１のみを使用した近接撮影を容易，確実に行うことができる。
また、カメラ１３によっては、内蔵閃光器１９を使用しているときには、外付閃光装置１１に対して発光起動信号を伝達しないものもあるが、減光板２９の反射光を光センサー３９でとらえることで、そのようなカメラ１３に対しても２灯撮影を可能にすることができる。
【００７７】
さらに、上述した外付閃光装置１１は、発光部２５の姿勢、内蔵閃光器１９の使用状態、減光板２９の設定状態を自動的に検知し、それを表示するとともに、間違った設定に対しては適切な警告を表示できるので、取り扱いが簡単である。
図１９は、図６のスレーブ回路を周知の遠距離まで応答可能なスレーブ回路と自動切り換え可能とした実施形態である。
【００７８】
図６では他の閃光装置に応答することなしに、取り付けられた内蔵閃光器のみの発光に応答するように（受光）回路５３の感度を低くしている。
図１９では、相手カメラの取付座に取り付けられる取付脚８１の複数の電気的接点からの信号あるいはカメラへの接続状態を判別するカメラインターフェイス回路８０が装備されている。
【００７９】
カメラインターフェイス回路８０は、カメラと外付閃光装置の電源がＯＮの場合、相互のデジタル通信によって、閃光撮影に必要な情報の送受信を行っている。
また、カメラの電源がＯＦＦの場合でも、カメラ取付座から外されているかを判別可能となっている。
カメラインターフェイス回路８０は、カメラ取付座に装置されている場合には、出力８２を介してＨレベルを、カメラ取付座から外されている場合には、出力８２を介してＬレベルを回路５３に出力する。
【００８０】
回路５３は、出力８２がＨレベルの時、外付閃光装置がカメラに取付状態と判断し、ポップアップスイッチＳＷ３が内蔵閃光器のポップアップによって閉成（ＯＮ）されると、受信感度の低いスレーブ回路として動作する。
しかし、出力８２がＬレベルの時には、外付閃光装置がカメラから外されている状態と判断し、不図示の設定スイッチによってスレーブ動作が設定されている場合には、受信感度を高めた従来のスレーブ回路として動作する。
【００８１】
この時（Ｌレベルの時）、ポップアップ検出スイッチＳＷ３は、以下のような別の働きをするようにしている。
Ｌレベルの時は、カメラの取付座に外付閃光装置はないので、ポップアップ検出スイッチＳＷ３は、内蔵閃光器のポップアップを検出するものではない。
カメラを片方の手（通常は右手）で保持し、他方の手（通常は左手）で外付閃光装置を保持し、カメラと外付閃光装置をコードレスでスレーブ撮影する場合を考える。
【００８２】
カメラがレリーズされ、カメラに内蔵される閃光器が発光する場合、外付閃光装置は（スレーブ機構により）同時に発光を行う。
この時、外付閃光装置のスレーブ回路は、単に他の閃光発光回路の発光の開始と停止をコピーするだけのものであるので、自分のカメラの内蔵閃光器以外の光に応答する場合がある。
【００８３】
特に、周りに他の撮影者がいる場合には、誤作動することがある。
したがって、回路５３では、カメラインターフェイス回路８０の出力８２がＬレベルの場合、ポップアップ検出スイッチＳＷ３（実際には検出レバー６１）を撮影者が指で動かして、閉成（ＯＮ）している場合は、スレーブ発光動作を行わないようにしている。
【００８４】
撮影者が自分の撮影のタイミングで指を外し、カメラをレリーズする瞬間だけスレーブ発光を可能にするようになっている。
このようにして、他人の閃光装置に同期してスレーブ発光しないようにし、自分の撮影タイミングに合わせて受信感度を高くした従来のスレーブ撮影を可能としている。
【００８５】
【発明の効果】
以上述べたように、請求項１の外付閃光装置では、カメラの取付座に装着されて使用される外付閃光装置の本体部に、カメラの内蔵閃光器の光を減光する減光板を配置したので、外付閃光装置の発光を主光源とし、カメラの内蔵閃光器の発光を補助光源とする２灯ライティング撮影を容易、確実に行うことができる。また、外付閃光装置に減光板を内蔵するだけで２灯ライティング撮影が可能になるため、外付閃光装置を安価なものにすることができる。また、請求項１の外付閃光装置では、減光板を、本体部に対しての位置が変更可能になるように配置したので、必要な所定位置に減光板を容易，確実に配置することができる。また、請求項１の外付閃光装置では、減光板を、発光部と内蔵閃光器のいずれかを選択して、発光部または内蔵閃光器の前方に移動可能としたので、２灯ライティング撮影以外に、外付閃光装置のみを使用した近接撮影を容易、確実に行うことができる。
【図面の簡単な説明】
【図１】本発明の外付閃光装置の一実施形態を示す側面図である。
【図２】図１の外付閃光装置を示す正面図である。
【図３】図１の外付閃光装置においてカメラの内蔵閃光器をポップアップした状態を示す側面図である。
【図４】図１の外付閃光装置の減光板により内蔵閃光器を遮蔽している状態を示す側面図である。
【図５】図１の外付閃光装置の減光板により発光部を遮蔽している状態を示す側面図である。
【図６】図１の外付閃光装置の電気回路を示す回路図である。
【図７】図１の内蔵閃光器の閃光波形と、ＩＧＢＴ１１のゲート電圧と、外付閃光装置の発光波形を示す説明図である。
【図８】図１の外付閃光装置を使用してバウンス光と直接光を使った２灯撮影をしている状態を示す説明図である。
【図９】図１の外付閃光装置と内蔵閃光器の発光の明るさ変化を時間経過で示す説明図である。
【図１０】図１の外付閃光装置と内蔵閃光器の光が被写体を照明する明るさ変化を時間経過で示した説明図である。
【図１１】図１の外付閃光装置で近接撮影を行っている状態を示す説明図である。
【図１２】図１１の外付閃光装置を拡大して示す説明図である。
【図１３】図１の外付閃光装置の液晶表示パネルに表示される画面の例を示す説明図である。
【図１４】図１の外付閃光装置の液晶表示パネルに表示される画面の例を示す説明図である。
【図１５】図１の外付閃光装置の液晶表示パネルに表示される画面の例を示す説明図である。
【図１６】図１の外付閃光装置の液晶表示パネルに表示される画面の例を示す説明図である。
【図１７】図１の外付閃光装置の液晶表示パネルに表示される画面の例を示す説明図である。
【図１８】図１の外付閃光装置の液晶表示パネルに表示される画面の例を示す説明図である。
【図１９】外付閃光装置の電気回路の他の実施形態を示す回路図である。
【符号の説明】
１１  外付閃光装置
１３  カメラ
１５  取付座
１９  内蔵閃光器
２１  本体部
２３  取付部
２５  発光部
２９  減光板
３１  支持部材
３５  収納部
【図１】
0004524891.tif 000002
【図２】
0004524891.tif 000003
【図３】
0004524891.tif 000004
【図４】
0004524891.tif 000005
【図５】
0004524891.tif 000006
【図６】
0004524891.tif 000007
【図７】
0004524891.tif 000008
【図８】
0004524891.tif 000009
【図９】
0004524891.tif 000010
【図１０】
0004524891.tif 000011
【図１１】
0004524891.tif 000012
【図１２】
0004524891.tif 000013
【図１３】
0004524891.tif 000014
【図１４】
0004524891.tif 000015
【図１５】
0004524891.tif 000016
【図１６】
0004524891.tif 000017
【図１７】
0004524891.tif 000018
【図１８】
0004524891.tif 000019
【図１９】
0004524891.tif 000020